(57)【特許請求の範囲】
【請求項１】
磁力ピンを有する第１治療具と、温熱付与できる磁力球面体を有する第２治療具と、磁力筒とその内底面に磁力突起を有する第３治療具と、外端に温熱付与できる磁力ピンを有する軸杆に回転ローラを軸支した第４治療具と、前記第１〜第４治療具に必要な電力を供給するための電力供給装置とを備えたことを特徴とする目の治療器。
【請求項２】
前記第４治療具のローラが、鉱石の玉からなることを特徴とする請求項１に記載の目の治療器。
【発明の詳細な説明】
【技術分野】
【０００１】
本発明は、目の代謝機能、細胞活性化、目の周囲の筋力強化、毛様体筋や視神経への刺激及び大脳への刺激を効果的に行うことのできる目の治療器に関するものである。
【背景技術】
【０００２】
目は主として眼球と視神経（視束）とから成り立っており、これに眼球附属器官、すなわち、眼臉、結膜、涙器、外眼筋などが加わって視器（視覚器）を構成する。眼球はほぼ球形をなし、外壁は外、中、内の３層の膜からなる。外膜は角膜と強膜、中膜は虹彩と毛様体及び脈絡膜、内膜は網膜からなり、眼球の内部の大部分は硝子体で満たされ、その前方に水晶体があり、虹彩の中央には円形の穴すなわち瞳孔がある。視神経は視細胞からの情報を脳へ伝える神経である。
【０００３】
人は日々ストレスを感じることが多い環境の中で「身体」全体の血流障害を起こしている。目はそれに大きく影響を受け、いろいろな症状、すなわち目の疲れや視力障害として表れてくる。特に、眼筋や毛様体筋等は自律神経に支配されているから、身体（内蔵の働き）が弱ってくると、酸素の供給が悪くなるとともに自律神経が乱れ、目がチカチカしたり疲れ目となって表れることがある。「目は病気の縮図」と言われるゆえんである。
【発明の開示】
【発明が解決しようとする課題】
【０００４】
上記目に表れる疲れや視力障害などの症状は、上述の如く、主に血流障害に基づくものであるし、眼筋や毛様体筋等の障害は自律神経の乱れに基づくものであるから、安易に目薬や飲薬を多用しても真の問題解決にはならないものである。
【０００５】
本発明は、上記の問題を解消するためのもので、その目的とするところは、目の周囲への特別な刺激を与え、視力低下の原因である血流障害の改善、眼筋や毛様体筋等への刺激による自律神経の回復、自然治癒力の増加を効率的に図ることのできる目の治療器を提供することにある。
【課題を解決するための手段】
【０００６】
上記の目的を達成するため、本発明に係る目の治療器は、磁力ピンを有する第１治療具と、温熱付与できる磁力球面体を有する第２治療具と、磁力筒とその内底面に磁力突起を有する第３治療具と、外端に温熱付与できる磁力ピンを有する軸杆に回転ローラを軸支した第４治療具と、前記第１〜第４治療具に必要な電力を供給するための電力供給装置とを備えたもので、目に生ずるあらゆる症状を根本から改善できるように構成している。
【０００７】
また、請求項２に記載の発明に係る目の治療器は、前記第４治療具のローラが、マイナスイオンを発生させる鉱石の玉からなるものである。
【発明の効果】
【０００８】
本発明によれば、第１治療具の磁力ピンの磁力と圧迫と打圧とにより目の周囲のツボを刺激できるため、視力低下や目の周囲の筋力強化が可能となり、第２治療具の磁力球面体の磁力と温熱と圧迫と打圧とにより目の周囲の代謝機能と細胞活性化を向上させることができ、目の下のたるみ、くま、しわを取るために効果を発揮し、第３治療具の磁力筒をひとみを開いた状態にて目を覆うように当てることにより目の外輪筋が刺激され、かつ磁力筒の内底面の磁力突起によりドライアイ、近視、遠視、弱視などを改善でき、さらに第４治療具の磁力ピンを有する軸杆に軸支した回転ローラで皮膚面を転がしつつマッサージすることにより目の周囲に限らず身体のあらゆる部位の代謝機能の向上及び細胞活性化させることができるなど、各種の優れた効果を奏するものである。
【０００９】
また、請求項２に記載の発明によれば、第４治療具のピン中心に回転する鉱石の玉からなるローラが、ピンから受ける温熱と、自ら発するマイナスイオンとにより皮膚面をさするように転がす間に細胞の新陳代謝をより高め、皮膚を活性化させるという優れた効果を奏するものである。
【発明を実施するための最良の形態】
【００１０】
次に、本発明の実施の態様を添付図面に基づいて説明する。図１は本願治療器の全体を略示的に示す斜視図、図２は第１治療具の正面図、図３は第２治療具の正面図、図４は第３治療具の一部切欠正面図、図５は第４治療具の正面図、図６は第１〜第４治療具のそれぞれの使用状態を示す説明図である。
【００１１】
本願治療器１は、第１治療具１０と、第２治療具２０と、第３治療具３０と、第４治療具４０と、前記第１〜第４治療具に必要な電力を供給するための電力供給装置５０とを備えてなる。
【００１２】
前記第１治療具１０は、把手部１１の一端側に磁力ピン１２を突設してなる。該磁力ピン１２の先端面は丸い球面状にすることが好ましいが、より強い刺激を付与するために尖った（皮膚を傷付けない程）円錐状になっていてもよい。なお、前記磁力ピン１２は、図２の如く、基根部１２ａに先端面の形状や太さの異なる複数種の交換ピン１２ｂを交換可能に設け、該交換ピン１２ｂを適時交換使用できるようにしておくと便利である。
【００１３】
前記磁力ピン１２は永久磁石により構成されているとともに、前記把手部１１内には電磁石（図示せず）を内蔵し、前記把手部１１の他端側から引き出したリード線１３の端部に設けたコネクタ１４を、前記電力供給装置５０の前面パネルに設けた第１出力端子５１及び第２出力端子５２のいずれかに接続し、第１スイッチ５３をオンすることにより前記電磁石に電力を供給できるようにしている。この電磁石への通電状態は第１パイロットランプ５４の点灯により確認できる。
【００１４】
前記第２治療具２０は、把手部２１の一端側に磁力球面体２２を設けてなる。該磁力球面体２２は永久磁石により構成されているとともに、前記把手部１１内には電磁石（図示せず）及び電熱器（図示せず）を内蔵し、前記把手部２１の他端側から引き出したリード線２３の端部に設けたコネクタ２４を、前記電力供給装置５０の前面パネルに設けた第３出力端子５６に接続し、第２スイッチ５７をオンすることにより前記電磁石及び電熱器に電力を供給できるようにしている。
【００１５】
前記コネクタ２４は、図３の如く、袋ネジ２４′を備え、第３出力端子５６のタップに螺子込み固定して接続できるように構成されている。これは第２治療具２０の電磁石及び電熱器への通電状態を安定的に保つためである。この通電状態は第２パイロットランプ５８の点灯により確認できる。電熱器への供給電力のボリュームは前記ツマミ５５により調節（左廻り＝小、右廻り＝大）可能になっている。
【００１６】
前記第３治療具３０は、図４の如く、把手部３１の一端側に磁力筒３２と、その内底面３２′に磁力突起３２″を設けてなる。該磁力筒３２と磁力突起３２″は永久磁石により構成されているとともに、前記把手部３１内には電磁石（図示せず）が内蔵され、前記把手部３１の他端側から引き出したリード線３３の端部に設けたコネクタ３４を、前記電力供給装置５０の前面パネルに設けた第１出力端子５１又は第２出力端子５２のいずれかに接続し、第１スイッチ５３をオンすることにより前記電磁石に電力を供給できるようにしている。この電磁石への通電状態は第１パイロットランプ５４の点灯により確認できるようになっている。
【００１７】
前記第４治療具４０は、図５の如く、把手部４１の一端側から突出させた中空軸４１′の先端部を把手部４１に対してほぼ直交状に曲げた軸杆４１″の外端に温熱付与できる円錐状の磁力ピン４２を設けるとともに、該軸杆４１″には回転ローラ４３が軸支されている。この円錐状の磁力ピン４２は、軸杆４１″の外端にネジ式に交換可能に固定し、円錐の尖端角度の異なる複数種を適時交換使用できるようになっている。勿論、磁力ピン４２は円錐状以外の形状のものであってもよい。また、磁力ピン４２は永久磁石により構成されているとともに、前記把手部４１あるいは軸杆４１″内に電磁石（図示せず）及び電熱器（図示せず）を内蔵し、前記把手部４１の他端側から引き出したリード線４４の端部に設けたコネクタ４５を、前記電力供給装置５０の前面パネルに設けた第３出力端子５６に接続し、第２スイッチ５７をオンすることにより前記電磁石及び電熱器に中空軸４１′を通して電力を供給できるようにしている。電熱器への供給電力のボリュームは前記電力供給装置５０の上面に設けたツマミ５５により調節可能になっている。
【００１８】
前記コネクタ４５は、図５の如く、袋ネジ４５′を備え、第３出力端子５６に固定的に接続できるように構成されている。換言すれば、第４治療具４０のコネクタ４５と、第２治療具２０のコネクタ２４とは第３出力端子５６は兼用するようになっている。勿論、図示していないが、第４治療具４０用の出力端子を別に設けてもよい。なお、前記電磁石及び電熱器への通電状態は第２パイロットランプ５８の点灯により確認できる。電熱器への供給電力のボリュームは前記ツマミ５５により調節できることは勿論である。
【００１９】
前記第４治療具４０のローラ４３は、図５の如く、鉱石の「玉」を蛇腹状に加工してなるが、扁平ローラであってもよい。ここに鉱石の「玉」は、自らマイナスイオンを発するものであり、皮膚面をさするように往復させつつ転がすと、細胞の新陳代謝をより高め、皮膚をより活性化させ、しわ取り効果が期待できる。
【００２０】
次に、本願治療器１の作用について説明する。まず、第１治療具１０のコネクタ１４を電力供給装置５０の前面パネルに設けた第１出力端子５１に、また、第２治療具２０のコネクタ２４を電力供給装置５０の第２出力端子５２に、さらに第３治療具３０のコネクタ３４を電力供給装置５０の第３出力端子５６にそれぞれ接続する。しかる後、第１スイッチ５３及び第２スイッチ５７をオンして第１パイロットランプ５４及び第２パイロットランプ５８の点灯を確認する。なお、第３治療具３０と交換的に使用する第４治療具４０は当初の時点では使用しない。
【００２１】
次に、第１治療具１０の把手部１１を手指で把持し、図６（ａ）の如く、磁力ピン１２を目の周囲のツボ（ツボの位置は予め添付された説明書に明示している）に押し当て、その磁力と圧迫と打圧とにより刺激する。この押し当てによる刺激はこまめに繰り返すことにより目の周囲の血行を良好にし、低下した視力アップと目の周囲の筋力強化を図る。この「磁力と圧迫と打圧」による刺激治療を便宜上クールリカバリーと称している。該クールリカバリーは、上述の如く、前記電力供給装置５０からの電磁石への通電により磁力ピン１２の皮膚当接接面の磁力を増強することによってより向上させ得るものとなる。
【００２２】
次いで、第２治療具２０による治療に移行する。この第２治療具２０の磁力球面体２２は前記電力供給装置５０からの給電により加温されている。しかして、第２治療具２０の把手部２１を手指で把持し、前記磁力球面体２２を、図６（ｂ）の如く、目の下のたるみ部分に押し当て、その磁力と温熱と圧迫と打圧とにより目の周囲の代謝機能を向上させるとともに細胞活性化が図られる。これにより目の下の「たるみ」が解消される。目のまわりのくま、しわ取りも同様の操作により可能となる。この「温熱を加えた磁力と圧迫と打圧」による刺激治療を便宜上ホットリカバリーと称している。該ホットリカバリーは、上述の如く、前記電力供給装置５０からの電磁石及び電熱器への通電により磁力球面体２２の皮膚当接接面の温熱を高めることによってより向上させ得るものである。この温熱についてのボリュームはツマミ５５の操作により調整される。
【００２３】
さらに、第３治療具３０による治療に移行する。第３治療具３０の磁力筒３２と磁力突起３２″は永久磁石により構成されているとともに、前記電力供給装置５０からの給電により磁力が増強されている。しかして、第３治療具３０の把手部３１を手指で把持し、磁力筒３２を、図６（ｃ）の如く、目を覆うように目の廻りに押し当てる。この磁力と圧迫と打圧とにより目の外輪筋を刺激して血行を良好にする。このときにひとみを開いた状態にしておくと、磁力突起３２″から発する磁力により眼球自体の血行を良好にするから、ドライアイ、近視、遠視、弱視などを改善できる。この「磁力と圧迫」による目の外輪筋と眼球の刺激治療を便宜上アイリカバリーと称している。該アイリカバリーは、上述の如く、前記電力供給装置５０からの電磁石への通電により磁力筒３２の皮膚当接接面及び磁力突起３２″の磁力を高めることによってより向上させ得るものである。
【００２４】
次に、第４治療具４０を使用する場合について説明すると、まず、第３治療具３０のコネクタ３４を電力供給装置５０の第３出力端子５６から取り外し、この第３出力端子５６に第４治療具４０のコネクタ４５を接続する。該電力供給装置５０からの給電により磁力ピン４２の磁力が増強されるとともに加温される。
【００２５】
次いで、第４治療具４０の把手部４１を把持し、図６（ｄ）の如く、前記磁力ピン４２を、目の周囲のツボに限らず、身体のあらゆる部位を刺激するとともに、前記軸杆４１″に軸支された回転ローラ４３で皮膚面を転がしてマッサージする。この回転ローラ４３は磁力ピン４２からの熱を受けて加温されているため、身体のあらゆる部位を温熱を加えつつ刺激を加えることができる。この刺激治療を便宜上トータルリカバリーと称している。該トータルリカバリーは、上述の如く、前記電力供給装置５０からの電磁石及び電熱器への通電により加温される磁力ピン４２及び該磁力ピン４２の熱を受けて加温されるローラ４３により、磁力と温熱と圧迫と打圧とにより目の周囲に限らず身体のあらゆる部位の代謝機能の向上及び細胞活性化させ得る。
【００２６】
前記第４治療具４０のローラ４３は、鉱石の「玉」からなるときは、玉自体がマイナスイオンを発生するため、細胞の新陳代謝をより高め、皮膚をより活性化できる。また、ローラ４３を蛇腹状に形成しておくと、皮膚への摩擦乃至マッサージ効果がより向上するものである。
【産業上の利用可能性】
【００２７】
本発明に係る目の治療器は、磁力ピンを有する第１治療具と、温熱付与できる磁力球面体を有する第２治療具と、磁力筒とその内底面に磁力突起を立てた第３治療具と、温熱付与できる磁力ピンを中心に回転するローラを有する第４治療具と、前記第１〜第４治療具に必要な電力を供給するための電力供給装置とを備えたものは、目に生ずるあらゆる症状を根本から改善できる点で家庭用治療器としての利用度が高い。
【図面の簡単な説明】
【００２８】
【図１】本願治療器の全体を略示的に示す斜視図である。
【図２】第１治療具の正面図である。
【図３】第２治療具の正面図である。
【図４】第３治療具の一部切欠正面図である。
【図５】第４治療具の正面図である。
【図６】第１〜第４治療具のそれぞれの使用状態を示す説明図である。
【符号の説明】
【００２９】
１  本願治療器
１０  第１治療具
１１  把手部
１２  磁力ピン
１２ａ  基根部
１２ｂ  交換ピン
１３  リード線
１４  コネクタ
２０  第２治療具
２１  把手部
２２  磁力球面体
２３  リード線
２４  コネクタ
２４′  袋ネジ
３０  第３治療具
３１  把手部
３２  磁力筒
３２′  内底面
３２″  磁力突起
３３  リード線
３４  コネクタ
４０  第４治療具
４１  把手部
４１′  中空軸
４１″  軸杆
４２  磁力ピン
４３  回転ローラ
４４  リード線
４５  コネクタ
５０  電力供給装置
５１  第１出力端子
５２  第２出力端子
５３  第１スイッチ
５４  第１パイロットランプ
５５  ツマミ
５６  第３出力端子
５７  第２スイッチ
５８  第２パイロットランプ
【図１】
0004618535.tif 000002
【図２】
0004618535.tif 000003
【図３】
0004618535.tif 000004
【図４】
0004618535.tif 000005
【図５】
0004618535.tif 000006
【図６】
0004618535.tif 000007